【手続補正書】
【提出日】平成29年2月21日(2017.2.21)
【手続補正１】
【補正対象書類名】明細書
【補正対象項目名】００１１
【補正方法】変更
【補正の内容】
【００１１】
［００１７］図１Ａは、本発明のいくつかの実施形態による小型ミキサシステム１００の等角図を示している。仮想線は明確性を目的として図示されているもしれないことに、留意されたい。いくつかの実施形態では、小型ミキサシステム１００は、ベースブロック１０５と、内部ブロック１６５と、出口ブロック１７０とを含みうる。いくつかの実施形態では、ベースブロック１０５は、第１底部入力開口１１０（第１ガス入力部とも呼ばれる）と、第２底部入力開口１５０（第２ガス入力部とも呼ばれる）と、上部出力開口１２５と、上部入力開口１４０と、混合チャンバ（例えばマニフォールド）１４５と、出口開口１３５とを含む。第１ガス１１５は、第１底部入力開口１１０を経由してベースブロック１０５内へと流され、かつ、第２ガス１５５は、第２底部入力開口１５０を経由してベースブロック１０５内へと流されることが可能である。第１底部入力開口及び第２底部入力開口１１０、１５０は、いくつかの実施形態では、ベースブロック１０５に第１ガス及び第２ガス１１５、１５５を供給する入力導管（図示せず）に結合されうる。かかる実施形態では、Ｏリング又は他の種類の密封を使用するベースブロックの開口が、ガスの漏出を防止する。いくつかの実施形態では、小型ミキサは「サンドイッチミキサ」と称されうる。
【手続補正２】
【補正対象書類名】明細書
【補正対象項目名】００１４
【補正方法】変更
【補正の内容】
【００１４】
［００２０］いくつかの実施形態では、小型ミキサシステム１００の上部の開口１２５及び１４０は、第１バルブ１３０を包含しうる別のブロックと結合するために後付けされうる。小型ミキサシステム１００は、ゆえに、より大型のデバイスに後付けするためのモジュラである。上述の実施形態では、開口（１１０、１２５、１４０、１５０）がガス流入力方向を決定する一方で、出口孔１７５は出力流を決定することになる。
【手続補正３】
【補正対象書類名】明細書
【補正対象項目名】００２０
【補正方法】変更
【補正の内容】
【００２０】
［００２６］第１ガス１１５及び第２ガス１５５は、混合チャンバ内で混ざり合い、最終的には、混合されたガスを形成して出力する。いくつかの実施形態では、混合チャンバ１４５内のガス又は混合ガスは、内部ブロック１６５の中に形成されたガスチャネル１８２に結合された一連の周縁通気孔１８０を通って、内部ブロック１６５に移動する。ガスチャネル１８２は、内部ブロック１６５の内部の内部チャンバ１６８（めくら穴を構成する）に至る。内部ブロック１６５の詳細については、図２Ａ及び図２Ｂと共に下記で更に論じる。混合されたガス１８５は、内部ブロック１６５内に形成された通気孔１８０及びガスチャネル１８２を経由して、混合チャンバ１４５から内部チャンバ１６８に移動する。混合されたガスは、出口ブロック１７０における出口孔１７５を経由して、内部ブロック１６５の内部チャンバ１６８から出て行く。いくつかの実施形態では、ガスチャネル１８２には、ガス流動性を増すために選択された角度に、下り勾配又は上り勾配がつけられうる。
【手続補正４】
【補正対象書類名】明細書
【補正対象項目名】００２３
【補正方法】変更
【補正の内容】
【００２３】
［００２９］図３Ａ及び図３Ｂは、本発明のいくつかの実施形態による、図１Ａ及び図１Ｂのミキサの出口ブロックの２つの等角図を示している。図３Ａは、出口ブロック１７０の外部の図を提供している。一実施形態では、出口ブロック１７０は、平坦面３１０を備える実質的な円形である。出口環部３００は、所望のガス流量に基づいて選択された内部直径３０８を有しうる。平坦面３１０から、同様に実質的な円形である例示的な幅の隆起した環部３００が延在し、かつ、環部３００は出口孔１７５を形成する。出口孔１７５は、いくつかの実施形態では、図４に関連して下記でより詳細に論じる流量コントローラに結合されることになる。いくつかの実施形態では、出口ブロックは１つのピースから形成される。
【手続補正５】
【補正対象書類名】明細書
【補正対象項目名】００２４
【補正方法】変更
【補正の内容】
【００２４】
［００３０］図３Ｂは、出口ブロック１７０の内部の図を提供している。出口ブロック１７０の内部は、幅３１７を有する第１輪郭輪３１５と、幅３１８を有する平坦な領域３２０によって隔てられた、幅３２２を有する第２輪郭輪とを備える。幅３１７、３１８及び３２２は、加工及び空間の制約と要件に加え、出口開口１３５の構成に基づいて、選択されうる。平坦な領域３２０は、環部２１０の平坦端面と結合する。出口ブロック１７０の内部は、内部ブロック１６５の環部２１０よりも小さな直径３３５を備える内環部３３０を更に含む。内環部３３０は、それが内部ブロック１６５の環部２１０に嵌入できるほど小さくなるように、環部２１０の構成に基づいて選択された、高さ３２４と幅３２６とを有しうる。いくつかの実施形態では、出口ブロック１７０は、内部ブロック１６５の環部２１０に溶接され、小型ミキサシステム１００にも溶接される。
【手続補正６】
【補正対象書類名】明細書
【補正対象項目名】００２８
【補正方法】変更
【補正の内容】
【００２８】
［００３４］偏心出口ブロックの内部は、第１輪郭輪４６０と、平坦な領域４７０によって隔てられた、第２輪郭輪４６５とを更に備える。平坦な領域４７０は、環部２１０の平坦端面と結合する。偏心出口ブロック４００の内部は、内部ブロック１６５の環部２１０よりも小さな直径４７５を備える内部偏心環部４４５を更に含む。偏心出口ブロック４００の内部偏心環部４４５のサイズは、内部ブロック１６５の環部２１０に嵌入できるほど小さい。いくつかの実施形態では、出口ブロック１７０は、内部ブロック１６５の環部２１０に溶接され、小型ミキサシステム１００にも溶接される。
【手続補正７】
【補正対象書類名】明細書
【補正対象項目名】００２９
【補正方法】変更
【補正の内容】
【００２９】
［００３５］図５は、本発明のいくつかの実施形態による、図１Ａ及び図１Ｂのミキサの概略図を示している。図５は、図１Ａ及び図１Ｂの小型ミキサ１００システムを使用する、システム５００の一実施形態である。システム５００は、第１ガス１１５の混合チャンバ１４５への流れを制御する第１バルブ１３０、及び、第２ガス１５５の混合チャンバ１４５への流れを制御する第２バルブ１６０を制御する、コントローラ５１５を備える。コントローラ５１５は、第１バルブ１３０及び第２バルブ１６０を選択的に作動させるために、マイクロコントローラ、メモリ、アクチュエータなどを備える。混合チャンバ１４５は、流量コントローラ（ＦＲＣ）５０５にガスを出力する。ＦＲＣ５０５は、一連のＢＣＲ付属物／接続部５１０を通じて出力を行う。いくつかの実施形態では、ＦＲＣ５０５は、ＶＣＲ付属物を経由して接続しうる。
【手続補正８】
【補正対象書類名】特許請求の範囲
【補正対象項目名】全文
【補正方法】変更
【補正の内容】
【特許請求の範囲】
【請求項１】
小型ガスミキサであって、
第１ガス入力部、第２ガス入力部及び出力開口を含むベースブロックと、
前記ベースブロックの中に形成された混合容積を有し、前記第１ガス入力部及び前記第２ガス入力部に流体結合されて入力されたガスを受容する、混合チャンバと、
前記混合チャンバの中に配置された内部ブロックとを備え、前記内部ブロックは、
内容積を有する本体と、
前記本体を通って形成された一又は複数の周縁孔であって、前記混合チャンバの混合容積と前記内部ブロックの内容積とを流体結合させる、一又は複数の周縁孔と、
前記ベースブロックの出力開口を通じてガスを流すよう構成されたガス出口とを備える、小型ガスミキサ。
【請求項２】
前記内部ブロックは、前記内部ブロックのガス出口に対向して閉端部を更に備える、請求項１に記載の小型ガスミキサ。
【請求項３】
前記一又は複数の周縁孔は、傾斜角度に形成されて、前記ガス出口の近位にある前記内部ブロックの周縁から、前記閉端部の近位にある前記内部ブロックの前記内容積へと延在する、請求項２に記載の小型ガスミキサ。
【請求項４】
前記内部ブロックの前記閉端部及び前記ガス出口は先細に形成されている、請求項２に記載の小型ガスミキサ。
【請求項５】
前記第１ガス入力部及び前記第２ガス入力部はそれぞれ、少なくとも１つの制御バルブに結合される、請求項１から４のいずれか一項に記載の小型ガスミキサ。
【請求項６】
前記ベースブロックの中に配置されて、前記ベースブロックの底面と前記ベースブロックの上面とを流体結合させる、通過導管を更に備える、請求項１から４のいずれか一項に記載の小型ガスミキサ。
【請求項７】
前記ベースブロックの出口開口を通して配置され、前記内部ブロックの前記ガス出口に結合されてガス出口チャネルを形成するための環部を有する出口ブロックを更に備える、請求項１から４のいずれか一項に記載の小型ガスミキサ。
【請求項８】
前記出口ブロックは、前記内部ブロックのガス出口周縁で前記ベースブロックの出口開口を密封して、前記内部ブロックからのガスのみが小型ガスミキサから流れるようにする、請求項７に記載の小型ガスミキサ。
【請求項９】
前記出口ブロックは流量コントローラに結合される、請求項７に記載の小型ガスミキサ。
【請求項１０】
ベースブロックであって、ベースブロックの中に配置された混合容積を有する混合チャンバと、ベースブロックの第１側部に配置されて、前記混合チャンバに結合された第１ガス入力部と、ベースブロックの対向する第２側部に配置されて、前記混合チャンバに結合された第２ガス入力部と、前記第１側部から前記第２側部へとベースブロックを通って配置されていて、前記混合チャンバには結合されていない通過導管と、前記第１側部と前記第２側部との間において、前記ベースブロックの端部に配置された出力開口とを含む、ベースブロックと、
前記混合チャンバの中に配置され、前記混合チャンバの壁からは離間している内部ブロックであって、内容積を備える本体と、前記内容積に結合されて、前記ベースブロックの前記出力開口を通じて前記内容積からガスを流すためのガス出口とを有する、内部ブロックとを備える小型ガスミキサであって、前記内部ブロックは、前記本体を通って形成された一又は複数の周縁孔であって、前記混合チャンバの前記混合容積と前記内部ブロックの前記内容積とを流体結合させて、前記第１ガス入力部及び前記第２ガス入力部から前記出力開口への流体経路を提供するための、一又は複数の周縁孔を更に含む、小型ガスミキサ。
【請求項１１】
前記ベースブロックの出口開口を通して配置されて、ガス出口チャネルを形成するために前記内部ブロックの前記ガス出口に結合された環部を有する出口ブロックであって、前記出口開口の周縁で前記ベースブロックに結合される、出口ブロックを更に備える、請求項１０に記載の小型ガスミキサ。
【請求項１２】
ガスを混合するためのシステムであって、
第１ガスの流れを制御する、第１導管に結合された第１バルブと、
第２ガスの流れを制御する、第２導管に結合された第２バルブと、
前記第１バルブ及び前記第２バルブを制御するコントローラと、
前記第１導管に結合された第１ガス入力部、前記第２導管に結合された第２ガス入力部、及び、出力開口を備えるベースブロックと、
前記ベースブロックの中に形成された混合容積を有する混合チャンバであって、入力されたガスを受容するために前記第１ガス入力部及び前記第２ガス入力部に流体結合される、混合チャンバと、
前記混合チャンバの中に配置された内部ブロックとを備え、前記内部ブロックは、
内容積を有する本体と、
前記混合チャンバの前記混合容積を前記内部ブロックの前記内容積と流体結合させる、前記本体を通って形成された一又は複数の周縁孔と、
前記ベースブロックの前記出力開口を通じてガスを流すよう構成されたガス出口とを備える、システム。
【請求項１３】
前記内部ブロックは、前記内部ブロックの前記ガス出口に対向して閉端部を更に備える、請求項１２に記載のシステム。
【請求項１４】
前記第１バルブ及び前記第２バルブを選択的に開閉して、前記混合チャンバにおいて前記第１ガスと前記第２ガスとを混合する比率を制御するために、前記コントローラを使用することを更に含む、請求項１２に記載のシステム。
【請求項１５】
前記ベースブロックの中に配置された通過導管であって、前記ベースブロックの底面と前記ベースブロックの上面とを流体結合させる、通過導管を更に備える、請求項１２から１４のいずれか一項に記載のシステム。